(57)【要約】      （修正有）【課題】片手で筒状ビニールに結び目を作り、右利きおよび左利きのユーザでもそれらを切断することが可能である廃棄物貯蔵装置を提供する。【解決手段】筒状ビニールを有するカセット３用の環状ホルダ２を備える廃棄物貯蔵装置１であり、筒状ビニールを結ぶときに前記筒状ビニールを保持する少なくとも一つの結束および／または切断装置４、を選択的に、且つ着脱可能に取り付けられる複数の取付位置Ａ１〜Ａ３を有する。代替的に、前述の機能を有する複数の結束および／または切断装置４は、廃棄物貯蔵装置１の異なる取付位置Ａ１〜Ａ３において、恒久的な部分となってもよい。【選択図】図３
2017190247.tif 000002
【特許請求の範囲】
【請求項１】
筒状ビニール（１５）を有するカセット（３）用の環状ホルダ（２）を備える廃棄物貯蔵装置（１）であって、
ａ）  前記筒状ビニールを結ぶときに前記筒状ビニール（１５）を保持する少なくとも一つの結束装置、前記筒状ビニール（１５）を切断する少なくとも一つの切断装置（８）、または少なくとも一つの一体型の結束／切断装置（４）を選択的に、且つ着脱可能に取り付けられる複数の取付位置（Ａ１〜Ａ３）、または
ｂ）  前記筒状ビニールを結ぶときに前記筒状ビニール（１５）を保持する、前記廃棄物貯蔵装置（１）の恒久的な部分となる複数の結束装置、前記筒状ビニール（１５）を切断する、前記廃棄物貯蔵装置（１）の恒久的な部分となる複数の切断装置（８）、または前記廃棄物貯蔵装置（１）の恒久的な部分となる少なくとも一つの一体型の結束／切断装置（４）、を備えることを特徴とする、廃棄物貯蔵装置（１）。
【請求項２】
前記結束および／または切断装置（４）と対応する夫々の前記取付位置（Ａ１〜Ａ３）が、前記環状ホルダ（２）の中心軸（Ｂ）に対して、異なる角度位置に配置されることを特徴とする、請求項１に記載の廃棄物貯蔵装置（１）。
【請求項３】
前記角度位置同士の角度は略同じであることを特徴とする、請求項２に記載の廃棄物貯蔵装置（１）。
【請求項４】
前記環状ホルダ（２）の中央開口部を開閉するようになされた蓋（１０）を有することを特徴とする、請求項１から３のいずれか１項に記載の廃棄物貯蔵装置（１）。
【請求項５】
第一の結束および／または切断装置（４）と対応する第一の取付位置（Ａ１）は、前記蓋（１０）のヒンジの向かい側に設けられ、且つ第二および第三の結束および／または切断装置（４）の夫々と対応する第二および第三の取付位置（Ａ２、Ａ３）は、前記廃棄物貯蔵装置の左側および右側に夫々設けられることを特徴とする、請求項４に記載の廃棄物貯蔵装置（１）。
【請求項６】
前記結束および／または切断装置（４）は、切込み部（７）が間に設けられた二つのピン状部分（５、６）を夫々に備えることを特徴とする、請求項１から５のいずれか１項に記載の廃棄物貯蔵装置（１）。
【請求項７】
前記二つのピン状部分（５、６）の軸間の距離は、前記二つのピン状部分（５、６）の端部に向かって増加し、開口された前記二つのピン状部分（５、６）の領域において測定される前記軸間の角度（α）は６０°以下であることを特徴とする、請求項６に記載の廃棄物貯蔵装置（１）。
【請求項８】
前記二つのピン状部分（５、６）の軸は略平行であり、前記二つのピン状部分（５、６）の端部は基本的に同じ方向を向いていることを特徴とする、請求項７に記載の廃棄物貯蔵装置（１）。
【請求項９】
前記切込み部（７）はＶ字形状を有し、前記二つのピン状部分（５、６）の前記端部に向かって広がっていることを特徴とする、請求項６から８のいずれか１項に記載の廃棄物貯蔵装置（１）。
【請求項１０】
前記切込み部（７）に配置される刃（８）を有することを特徴とする、請求項６から９のいずれか１項に記載の廃棄物貯蔵装置（１）。
【請求項１１】
前記ピン状部分（６）の自由端部から離れた位置に配置されるストッパ（９）を有することを特徴とする、請求項６から１０のいずれか１項に記載の廃棄物貯蔵装置（１）。
【請求項１２】
前記ピン状部分（５、６）に、前記ピン状部分に沿って設けられる窪み（１２）を有することを特徴とする、請求項６から１１のいずれか１項に記載の廃棄物貯蔵装置（１）。
【請求項１３】
基部（１３）と、前記基部（１３）から突出する支柱（１４）と、取付位置（Ｃ）において前記支柱（１４）に取り付けられる前記環状ホルダ（２）と、前記環状ホルダ（２）に取り付けられる前記結束装置または前記一体型の結束／切断装置（４）と、を備えることを特徴とする、請求項１から１２のいずれか１項に記載の廃棄物貯蔵装置（１）。
【請求項１４】
前記環状ホルダ（２）の下に配置される箱を備えることを特徴とする、請求項１から１３のいずれか１項に記載の廃棄物貯蔵装置（１）。
【請求項１５】
前記カセット（３）が、前記環状ホルダ（２）の前記中心軸（Ｂ）を中心として、且つ前記結束装置または前記一体型の結束／切断装置（４）の夫々の前記取付位置（Ａ１〜Ａ３）と連動して、回転することを特徴とする、請求項１から１４のいずれか１項に記載の廃棄物貯蔵装置（１）。
【請求項１６】
前記蓋（１０）と、前記環状ホルダ（２）または前記カセット（３）とを結合する歯車を備えることを特徴とする、請求項１５に記載の廃棄物貯蔵装置（１）。
【発明の詳細な説明】
【背景技術】
【０００１】
本発明は、筒状ビニール（plastic hose）を有するカセット用の環状ホルダを備える、廃棄物貯蔵装置（waste deposition device）に関する。
【０００２】
一般的に、上述の種類の廃棄物貯蔵装置は公知であり、全ての種類の廃棄物の処理、特に乳幼児用および／または成人用おむつ、および／または他の個人的な廃棄物の処理のために使用される。筒状ビニール（hose）内に望ましくない臭いを閉じ込めておくために、筒状ビニールには廃棄物が処理された後に結び目が作られる。さらに、筒状ビニールは刃を用いて切断されてもよい。
【０００３】
これに関して、米国特許出願公開第２０１３／００６７８５７Ａ１号は、二つの切込み部を有し、いずれか一方の切込み部に配置された刃を持つホルダを備える廃棄物バスケット（waste basket）を開示している。第一の切込み部は、バスケット内に配置された袋を保持するために設けられている。刃を含む第二の切込み部は、廃棄物が貯蔵される筒状ビニールを切断するために設けられている。
【０００４】
英国特許第１５２９１１１Ａ号は、筒状ビニールを切断する刃を有する別の廃棄物貯蔵装置を開示している。
【０００５】
片手で結び目を自然に作ることは、多くのユーザにとって殆ど不可能であるため、従来の廃棄物貯蔵装置では、ユーザは両手を使って、筒状ビニールに結び目を作らざるを得なかった。通常これは大きな問題ではないが、例えば、ユーザが一方の手で泣く乳幼児を抱えている場合、同時に筒状ビニールを結ぶことができず、しばらくの間廃棄物貯蔵装置から望ましくない臭いが漏れ続け、多くのユーザにとって非常に不快な状況となる。従来技術では、左利きまたは右利きに関してユーザの優先度を考慮していないため、状況はさらに悪い。そのため、ユーザが一方の手で結び目を作ることができたとしても、利き腕で泣いている乳幼児を抱えながら「利き腕でない」手で結び目を作らざるを得ない状況において、非常に困難な問題に直面する。基本的には筒状ビニールを切断することについても同様に考えられる。
【発明の概要】
【発明が解決しようとする課題】
【０００６】
したがって本発明は、改善された廃棄物貯蔵装置を提供することを目的とする。特に、片手で筒状ビニールに結び目を作り、および／またはそれらを切断することが可能であり、および／または廃棄物貯蔵装置が右利きおよび左利きのどちらのユーザに対しても設計されるものとする。
【課題を解決するための手段】
【０００７】
本発明の目的は、冒頭段落で説明した廃棄物貯蔵装置によって達成される。廃棄物貯蔵装置は、
ａ）  筒状ビニールを結ぶときに該筒状ビニールを保持する少なくとも一つの結束装置、筒状ビニールを切断する少なくとも一つの切断装置、または少なくとも一つの一体型の結束／切断装置を選択的に、特に着脱可能に取り付けられる複数の取付位置、または
ｂ）  廃棄物貯蔵装置の恒久的な部分であって筒状ビニールを結ぶときに該筒状ビニールを保持する複数の結束装置、廃棄物貯蔵装置の恒久的な部分であって筒状ビニールを切断する複数の切断装置、または廃棄物貯蔵装置の恒久的な部分である複数の一体型の結束／切断装置、を備えている。上述の実施例ｂにおいて、結束／切断装置は、当然ながら異なる（取付）位置に配置される。
【０００８】
これらの手段により、廃棄物貯蔵装置は、廃棄物貯蔵装置の設置方法または設置場所に関わらず、左利きおよび右利きのユーザによって快適に使用され得る。廃棄物貯蔵装置は、筒状ビニールに結び目を作るときに筒状ビニールを保持する結束装置を選択的に、特に着脱可能に取り付けるための複数の取付位置を備えてもよい（実施例ａ）。同様に、取付位置は、筒状ビニールを切断するための切断装置、または一体型の結束／切断装置を選択的に、特に着脱可能に取り付けるために使用されてもよい。複数の結束および／または切断装置が取付位置に取り付けられてもよく、例えば、二つの結束および／または切断装置が三つの取付位置のうちの二つに取り付け可能であることに留意されたい。代替的には、上述の機能を有する複数の結束および／または切断装置は、廃棄物貯蔵装置の恒久的な部分となってもよい。
【０００９】
提案された結束装置によって、多くのユーザは初使用時から片手だけで筒状ビニールを結ぶことが可能となることにも留意されたい。上述した通り、多くのユーザにとって片手だけで結び目を作ることは、追加の助けが得られない限りほぼ不可能である。
【００１０】
さらなる有利な実施形態は、添付の請求項、ならびに図面に記載されている。
【００１１】
結束および／または切断装置の取付位置が、環状ホルダの中心軸に対して、異なる角度位置に夫々に配置されていることが有益である。特に前述の角度位置同士の角度は略同じである。したがって廃棄物貯蔵装置は、左利きのユーザおよび右利きのユーザ夫々によって快適に使用可能となる。さらに結束および／または切断装置は、廃棄物貯蔵装置が隅に或いは壁の窪みに設置された場合でも使用することができる。本文脈における「略」とは、上述の角度間の差が１０°以下であることを意味している。
【００１２】
別の有益な実施形態では、廃棄物貯蔵装置は、環状ホルダの中央開口部を開閉するようになされた蓋を備えている。そのため、筒状ビニールの結び目が気密でなくても装置内に臭いが閉じ込められる。
【００１３】
上記において、第一の結束および／または切断装置と対応する第一の取付位置が、蓋のヒンジの向かい側に配置され、第二および第三の結束および／または切断装置と対応する第二および第三の取付位置が、廃棄物貯蔵装置の左側および右側に夫々配置されていることが有益である。これらの位置により、多くのユーザは廃棄物貯蔵装置を快適に使用することができる。
【００１４】
上述の結束装置は、切込み部が間に設けられた二つのピン状部分を夫々に備えていることが特に有利である。これらの手段により、筒状ビニールを簡単に結ぶことができる。結び目を作るためには、筒状ビニールは、二つのピンの周りに巻かれ、該ピンの間を経由して、形成されたループの中に通される。この動作は片手で簡単に実施することができる。対照的に、通常結び目を作るには二本の空いている手が必要である。このように廃棄物貯蔵装置によって、例えば、一方の手で乳幼児を抱えながら、他方の手でおむつを廃棄して筒状ビニールに結び目を作ることが可能となる。
【００１５】
二つのピン状部分の軸間の距離が、二つのピン状部分の端部に向かって増加し、且つ二つのピン状部分の開口部の領域において、測定される軸間の角度が６０°以下であると、有利である。つまり、二つのピン状部分の端部は基本的に同じ方向（反対の方向でない）を向いている。このような手段により、筒状ビニールのループは、結び目が作られる間、結束装置に良好に保持され、且つ筒状ビニールに作られた結び目は簡単に結束装置から抜くことができる。角度が大きければ大きい程、意図せずに結び目が抜け落ちるリスクが低くなる。しかしながら、角度が６０°を超えると、結び目が結束装置内で詰まる場合もある。
【００１６】
さらに、二つのピン状部分の軸が略平行であって、且つ二つのピン状部分の端部が基本的に同じ方向（反対の方向でない）を向いていると、有利である。本文脈における「略平行」とは、特に二つのピン状部分の軸間の角度が１０°以下であることを意味している。すなわち、二つのピン状部分の軸間の距離は、二つのピン状部分の端部に向かって実質的に増加せず、二つのピン状部分の開口部の領域において、測定される軸間の角度は１０°以下である。このため、筒状ビニールにおける結び目はより簡単に結束装置から抜くことができる。
【００１７】
切込み部がＶ字形状を有し、二つのピン状部分の端部に向かって広がっていることも有利である。このため筒状ビニールは、形成されたループの中に簡単に通すことが可能となる。しかしながら、切込み部は平行壁によって境界が付けられてもよい。
【００１８】
上記において、夫々の切込み部に刃が配置されていることも有利である。これにより筒状ビニールは簡単に切断可能となる。刃が設けられることで、一体型の結束／切断装置が提供される。
【００１９】
さらに別の有利な実施形態では、ピン状部分の自由端部から少し離れた位置にストッパが配置されている。特にストッパは、切込み部の端部、または切込み部の端部の手前に配置されている。これらの手段により、ピンの間および筒状ビニールのループの中を通される筒状ビニールの誘導を妨げる、結束装置の切込み部以外の部分への筒状ビニールの望ましくない滑りが回避される。
【００２０】
さらに別の有利な実施形態では、ピン状部分上およびそれに沿って、窪みが設けられている。これにより結び目を作る人は、二つのピンの周りに巻かれた筒状ビニールによって形成されたループの中に指、特に親指を簡単に入れることができる。したがって、筒状ビニールの自由端部をループの中に通すことで、結び目がさらに簡単に完成される。
【００２１】
環状ホルダの中心軸に対して垂直な横断面における廃棄物貯蔵装置の外周は、略長方形であることが有益である。これにより廃棄物貯蔵装置は、隅または窪みへ省スペースに設置可能となる。ともあれ、該断面は楕円形または円形であってもよい。
【００２２】
有益な実施形態では、廃棄物貯蔵装置は、基部から突出した支柱と、支柱に取り付けられた環状ホルダと、環状ホルダに取り付けられた少なくとも一つの結束装置を備えている。そのため廃棄物貯蔵装置は、独立型の装置として使用されてもよい。代替的に或いはさらに、廃棄物貯蔵装置は他の構造、例えば、ベビーベッドの柵または他の家具調度品に廃棄物貯蔵装置を取り付けるための少なくとも一つの装置ホルダを備えてもよい。
【００２３】
さらに有益な実施形態では、廃棄物貯蔵装置は、環状ホルダの下に配置された箱を備えている。したがって、筒状ビニールに入れられた廃棄物は専用のスペースに貯蔵される。
【００２４】
筒状ビニールを有するカセットが、環状ホルダの中心軸に対して、且つ対応する結束および／または切断装置の取付位置と連動して、回転可能であることが有利である。このようにして、筒状ビニールは、廃棄物が処理された後に簡単な方法で捻られる。
【００２５】
廃棄物貯蔵装置が、蓋と、環状ホルダまたはカセットとを結合させる歯車を備えていることが、さらに有利である。これにより、蓋が開けられおよび／または閉じられると、自動的にカセットが回転し、筒状ビニールが捻られる。
【００２６】
本発明をより良く理解するために、本発明の実施形態を示す図面を以下に提示する。図面は、概略的に示されている。
【図面の簡単な説明】
【００２７】
【図１】図１は、右前側から見た例示的な廃棄物貯蔵装置の斜視図である。
【図２】図２は、左前側から見た図１の廃棄物貯蔵装置の斜視図である。
【図３】図３は、底側から見た図１の廃棄物貯蔵装置の斜視図である。
【図４】図４は、上側から見た例示的な結束装置の詳細な斜視図である。
【図５】図５は、図４の結束装置の正面図である。
【図６】図６は、基部および支柱を有する例示的な廃棄物貯蔵装置の側面図である。
【発明を実施するための形態】
【００２８】
全体として、同一の部分または同様の部分は、同一／同様の名称および符号で示されている。明細書に開示された機能は、同一／同様の名称および符号が夫々示す部分に適用されている。方向および相対位置（上、下、横など）は、関連する図面に対応して示されており、示された方向および／または相対位置は、状況に応じて異なる図面において補正する必要がある。
【００２９】
図１から図３は、互いに異なる方向から見た廃棄物貯蔵装置１を示している。図１は右前側から見た斜視図であり、図２は左前側から見た図であり、図３は底側から見た図である。廃棄物貯蔵装置１は、筒状ビニールを有するカセット３用の環状ホルダ２と、筒状ビニールを結ぶときに筒状ビニールを保持する一体型の結束／切断装置４を備えている。
【００３０】
図４および図５は、結束／切断装置４を詳細に示している。図４は上側から見た斜視図であり、図５は正面図である。結束／切断装置４は、切込み部７が間に設けられた二つのピン状部分５、６を備えている。この手段により、簡単に筒状ビニールに結び目を作ることができる。このため、筒状ビニールは、二つのピン状部分５、６の周りに巻かれ、ピン状部分５、６の間を経由して、形成された筒状ビニールのループの中に通される（図４が示している移動路を参照のこと）。最終的な下方向への動きにより、結び目が完成されるだけでなく、完成された結び目が結束／切断装置４から抜くことができる。
【００３１】
この動作は、片手で簡単に実施可能となる。対照的に、通常結び目を作るには、二本の空いている手が必要である。廃棄物貯蔵装置１によって、例えば、一方の手で乳幼児を抱えながら、他方の手で使用済みおむつを廃棄して筒状ビニールに結び目を作ることが可能となる。当然のことながら、図４が示している左側から開始される移動路は例示的に過ぎず、移動は他の方向、例えば、前側、右側、後側、またはそれらの間の別の方向から開始されてもよい。
【００３２】
図示された実施例では、二つのピン状部分５、６の軸は略平行であって、且つ二つのピン状部分５、６の端部は基本的に同じ方向（反対の方向でない）を向いている。図４では、両端部は、下方向を向いている（下方向と上方向ではない）。本文脈における「略平行」とは、特に二つのピン状部分の軸間の角度αが１０°以下であることを意味している。このため、結び目を作るためのループは、結び目が作られている間、結束／切断装置４によって良好に保持され、筒状ビニールの結び目は非常に簡単に結束／切断装置４から抜くことができる。しかしながら、二つのピン状部分５、６の軸間の角度αは最大６０°であってもよい（二つのピン状部分５、６の「方向」を示している図４の右側を参照のこと）。この場合、筒状ビニールのループは、結び目が作られている間、結束／切断装置４によってより良好に保持される。角度が大きければ大きい程、意図せずに結び目が結束／切断装置４から抜け落ちるリスクが低くなる。しかしながら、角度が６０°を超えると、結び目が結束／切断装置４内で詰まる場合もある。
【００３３】
本実施例では、切込み部７はＶ字形状を有し、二つのピン状部分５、６の端部に向かって広がっている。これにより、筒状ビニールはループの中に簡単に通すことができる。しかしながら、切込み部７は、平行壁によって境界が付けられてもよい。
【００３４】
また、本実施例では、結束／切断装置４は、切込み部７に配置される刃８を備えている。これにより、筒状ビニールは簡単に切断することができる。さらに、結束／切断装置４は、ピン状部分５、６の自由端部から少し離れた位置に設けられた、任意選択のストッパ９を備えてもよい。特にストッパ９は、切込み部７の端部、または切込み部７の端部の手前に配置されている。これらの手段により、ピン状部分５、６の周りに筒状ビニールを巻くとき、特に上方移動のときに、結束／切断装置４の切込み部以外の部分への筒状ビニールの望ましくない滑りが回避される。このような望ましくない滑りが生ずると、ピン状部分５、６の間からループの中を通される筒状ビニールは、誘導が妨げられる。当然のことながら、ストッパ９は、ピン状部分５、６の両方に配置されてもよい。
【００３５】
図示された実施例では、結束／切断装置４は、ピン状部分５、６に、それらに沿って設けられた窪み１２を備えている。この手段により、結び目を作る人は、二つのピン状部分５、６の周りに巻かれた筒状ビニールによって形成されたループの中に指、特に親指を簡単に入れることができる。したがって、筒状ビニールの自由端部をループの中に通すことで結び目がさらに簡単に完成される。
【００３６】
刃８が任意であることに留意されたい。刃８が設けられていない図示された装置４は、単なる結束装置である。また、刃が設けられて結束手段がない装置４は、単なる切断装置である。当然のことながら、廃棄物貯蔵装置１は、結束機能および切断機能を提供するために、複数の単独の結束装置および切断装置を備えてもよい。
【００３７】
図面と関連する技術的教示は、結束装置、切断装置、および一体型の結束／切断装置４に同等に適用されている。そのため、特に以下の取付位置Ａ１〜Ａ３に関連する明示は、結束装置、切断装置、および一体型の結束／切断装置４に同等に適用されている。
【００３８】
図１から図３に示す実施例では、廃棄物貯蔵装置１は、結束／切断装置４を選択的に、特に着脱可能に取り付けるための複数の取付位置Ａ１〜Ａ３を備えている（実施例ａ）。複数の結束／切断装置４が取付位置Ａ１〜Ａ３に取り付けられてもよく、例えば、二つの結束／切断装置４が三つの取付位置Ａ１〜Ａ３のうちの二つに取り付けることが可能であることに留意されたい。代替的には、筒状ビニールを結ぶときに該筒状ビニールを保持し、該筒状ビニールを切断する複数の結束／切断装置４は、廃棄物貯蔵装置１の恒久的な部分となってもよい。
【００３９】
図１から図３に示す実施例では、取付位置Ａ１〜Ａ３は、環状ホルダ２の中心軸Ｂに対して、異なる角度位置に配置されている。具体的には、第一の取付位置Ａ１は、環状ホルダ２の中心開口部を開閉し、筒状ビニールの結び目が気密でなくても廃棄物貯蔵装置１内の臭いを、対応する筒状ビニール内に閉じ込められるようになされて、任意選択の蓋１０のヒンジの向かい側に配置されている。第二および第三の取付位置Ａ２、Ａ３は、装置の左側と右側に夫々配置されている。したがって、廃棄物貯蔵装置１は、左利きおよび右利き夫々のユーザによって快適に使用可能となる。さらに、結束／切断装置４は、廃棄物貯蔵装置１が隅または窪みに設置された場合でも使用可能となる。
【００４０】
加えて、廃棄物貯蔵装置１は、支柱用の取付位置Ｃを備えている（図６）。
【００４１】
また、廃棄物貯蔵装置（waste storage device）１は、他の構造、例えば、ベビーベッドの柵または他の家具調度品に廃棄物貯蔵装置１を取り付けるための一つの任意選択の装置ホルダ１１、または複数の任意選択の装置ホルダ１１を備えている。
【００４２】
上述の実施形態では、上述の角度位置の角度は夫々異なっている。しかしながら、他の実施形態では、上述の角度位置同士の角度は略同じでもよい。本文脈における「略」とは、上述の角度間の差が１０°以下であることを意味している。
【００４３】
さらに、図１から図３に示す実施形態のように、環状ホルダ２の中心軸Ｂに対して垂直な横断面における廃棄物貯蔵装置１の外周は、略長方形であることが有益である。これにより、廃棄物貯蔵装置１は、隅または窪みに省スペースに設置可能となる。しかしながら、他の実施形態では、該断面は楕円形または円形であってもよい。図示された実施例ではカセット（cartridge）３は円形であるが、カセット３は楕円形であってもよいことに留意されたい。
【００４４】
図６は、結束／切断装置４が第三の取付位置Ａ３において環状ホルダ２に取り付けられた廃棄物貯蔵装置１の例示的な実施形態を示している。廃棄物貯蔵装置１は、さらに基部１３、および基部１３から突出する支柱１４を備えている。環状ホルダ２は、取付位置Ｃにおいて支柱１４に取り付けられている。そのため、廃棄物貯蔵装置１は、独立型の装置として使用されてもよい。代替的に或いはさらに、廃棄物貯蔵装置１は他の構造、例えば、ベビーベッドの柵または他の家具調度品に廃棄物貯蔵装置１を取り付けるための、一つの任意選択の装置ホルダ１１または複数の任意選択の装置ホルダ１１を備えてもよい。さらに代替的には、廃棄物貯蔵装置１は、環状ホルダ２の下に配置される箱を備えてもよい。そのため、筒状ビニール中の廃棄物は、専用のスペースに貯蔵される。図６では、廃棄物貯蔵装置１をすぐ使用できるよう、カセット３に筒状ビニール１５が配置されている。
【００４５】
概してカセット３および／または環状ホルダ２は、環状ホルダ２の中心軸Ｂに対して、且つ対応する結束／切断装置４の取付位置Ａ１〜Ａ３と連動して、回転可能であってもよい。このようにして、筒状ビニール１５は、廃棄物が処理された後に簡単な方法で捻られる。この状況においては、廃棄物貯蔵装置１は、蓋１０が開けられおよび／または閉じられると、自動的にカセット３が回転し筒状ビニール１５が捻られるよう、蓋１０と、環状ホルダ２またはカセット３とを結合させる歯車を有してもよい。
【００４６】
概して結束／切断装置４は、着脱可能となっている場合、スナップ式接続または摩擦接続を用いて、環状ホルダ２に取り付けられてもよい。しかしながら、結束／切断装置４は、例えば、接着剤を用いて、環状ホルダ２に恒久的に取り付けられてもよい。同様に、支柱１４は、スナップ式接続或いは摩擦接続を用いて、または接着剤を用いて環状ホルダ２に取り付けられてもよい。全体として、取付位置Ａ１〜Ａ３、およびＣは、「受容位置」と呼ばれてもよい。
【００４７】
本発明は、上述した実施形態に制限されず、異なる実施形態の組み合わせが可能であることに留意されたい。実際に、廃棄物貯蔵装置１は、図示された部品より多くのまたは少ない部品を有してもよい。廃棄物貯蔵装置１およびその部品は、原寸と異なって示され、図示された尺度よりも大きくても小さくてもよい。最後に、本説明は、さらに独立した発明の技術的内容を含んでもよい。
【符号の説明】
【００４８】
１    廃棄物貯蔵装置
２    環状ホルダ
３    カセット
４    結束／切断装置
５    第一のピン状部分
６    第二のピン状部分
７    切込み部
８    刃
９    ストッパ
１０    蓋
１１    装置ホルダ
１２    窪み
１３    基部
１４    支柱
１５    筒状ビニール（全体として、紐状または筒状のアイテム）
Ａ１〜Ａ３    結束／切断装置の取付位置
Ｂ    環状ホルダの中心軸
Ｃ    支柱の取付位置
【図１】
2017190247.tif 000003
【図２】
2017190247.tif 000004
【図３】
2017190247.tif 000005
【図４】
2017190247.tif 000006
【図５】
2017190247.tif 000007
【図６】
2017190247.tif 000008
【手続補正書】
【提出日】平成29年2月16日(2017.2.16)
【手続補正１】
【補正対象書類名】図面
【補正対象項目名】全図
【補正方法】変更
【補正の内容】
【図１】
2017190247.tif 000009
【図２】
2017190247.tif 000010
【図３】
2017190247.tif 000011
【図４】
2017190247.tif 000012
【図５】
2017190247.tif 000013
【図６】
2017190247.tif 000014
【外国語明細書】
2017190247.tif 000015
2017190247.tif 000016
2017190247.tif 000017
2017190247.tif 000018
2017190247.tif 000019
2017190247.tif 000020
2017190247.tif 000021
2017190247.tif 000022
2017190247.tif 000023
2017190247.tif 000024
2017190247.tif 000025
2017190247.tif 000026
2017190247.tif 000027
2017190247.tif 000028
2017190247.tif 000029
【図１】
2017190247.tif 000030
【図２】
2017190247.tif 000031
【図３】
2017190247.tif 000032
【図４】
2017190247.tif 000033
【図５】
2017190247.tif 000034
【図６】
2017190247.tif 000035